(57)【要約】【課題】  本発明は嵌合方向にしか操作スペースがない場合でも、嵌合方向で回動部材を操作でき、ＺＩＦ構造が可能で、上下接点構造にすることができるコネクタを提供する。【解決手段】本目的はコンタクト１４の構成を、一端側に前記接続対象物と接触する接触部２６と他端側に回動部材１６により押圧される押受部３２とを有する第一片２２と、一端側に支点部２８と他端側に基板２０と接続する接続部４０とを有する第ニ片２４と、第一片２２と支点部２８とを連結する連結部３０と、接続部４０近傍より略Ｌ字形状に延設され、自由端側に第二押受部３４とを備え、接触部２６と連結部３０と支点部２８と接続部４０とを略クランク形状に配置されるとともに接触部２６は嵌合口１７内に突出するようし、回動部材１６を回動するようにハウジング１２に装着し、回動部材１６の押圧部４６をコンタクト１４の押受部３２と第二押受部３４との間で回動させることで達成できる。【選択図】  図２
2006114436.tif 000002
【特許請求の範囲】
【請求項１】
接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させる回動部材とを備えるコネクタにおいて、
前記コンタクトは、一端側に前記接続対象物と接触する接触部と他端側に前記回動部材により押圧される押受部とを有する第一片と、一端側に支点部と他端側に基板と接続する接続部とを有する第ニ片と、前記第一片と前記支点部とを連結する連結部と、前記接続部と前記支点部との間に略Ｌ字形状に延設される第二押受部とを備え、前記接触部と前記連結部と前記支点部と前記接続部とを略クランク形状に配置されるとともに前記接触部は前記嵌合口内に突出され、
前記回動部材は、回動させるための操作部と長手方向に連設した押圧部と前記第二押受部が挿入できる係止孔とを備え、前記押圧部が前記コンタクトの押受部と第二押受部との間で回動するように前記ハウジングに装着され、
コネクタと前記接続対象物とが接続前の状態（前記回動部材が開いた状態）では、前記押圧部が押受部と第二押受部との間で回動し、押受部を押圧することで前記接触部が持ち上げられ、コネクタと前記接続対象物とが接続状態（前記回動部材が閉じた状態）では、前記コンタクトの前記接触部は前記嵌合口内に突出し接続対象物と接触可能になることを特徴とするコネクタ。
【請求項２】
接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させる回動部材とを備えるコネクタにおいて、
２種類のコンタクトを千鳥に配置し、
一方の前記コンタクトは、一端側に前記接続対象物と接触する接触部と他端側に前記回動部材により押圧される押受部とを有する第一片と、一端側に支点部と他端側に基板と接続する接続部とを有する第ニ片と、前記第一片と前記支点部とを連結する連結部と、前記接続部と前記支点部との間に略Ｌ字形状に延設される第二押受部とを備え、前記接触部と前記連結部と前記支点部と前記接続部とを略クランク形状に配置されるとともに前記接触部は前記嵌合口内に突出され、
もう一方のコンタクトは、一端側に前記接続対象物と接触する接触部と他端側に前記回動部材により押圧される押受部とを有する第一片と、一端側に基板と接続する接続部と他端側に支点部とを有する第ニ片と、前記第一片と前記支点部とを連結する連結部と、前記支点部より略倒Ｕ字形状に延設される第二押受部とを備え、前記接触部と前記連結部と前記支点部と前記接続部とを略倒Ｕ字形状に配置されるとともに前記接触部は前記嵌合口内に突出され、
前記回動部材は、回動させるための操作部と長手方向に連設した押圧部と前記第二押受部が挿入できる係止孔とを備え、前記押圧部が一方及びもう一方の前記コンタクトの押受部と第二押受部との間で回動するように前記ハウジングに装着され、
コネクタと前記接続対象物とが接続前の状態（前記回動部材が開いた状態）では、前記押圧部が押受部と第二押受部との間で回動し、押受部を押圧することで前記接触部が持ち上げられ、コネクタと前記接続対象物とが接続状態（前記回動部材が閉じた状態）では、前記コンタクトの前記接触部は前記嵌合口内に突出し接続対象物と接触可能になることを特徴とするコネクタ。
【請求項３】
前記支点部より前記接触部の対向方向に延設した延設部を設けると共に前記延設部の先端で前記接触部に対向する位置にも接触部を設けることを特徴とする請求項１記載のコネクタ。
【請求項４】
前記接続部と前記支点部との間で、前記接触部に対向する位置にも接触部を設けることを特徴とする請求項２記載のコネクタ。
【請求項５】
前記押受部及び前記第二押受部のどちらか一方若しくは双方の先端に突出した突出部を設け、前記押受部及び前記第二押受部間で前記押圧部が回動することを特徴とする請求項３又は４記載のコネクタ。
【請求項６】
前記押受部と前記第二押受部とを略並行に前記押圧部が回動可能に配置することを特徴とする請求項３又は４記載のコネクタ。
【請求項７】
前記第二押受部の突出部の内側に凹部を設け、前記押圧部が前記凹部内で、かつ、前記押受部と前記第二押受部間で回動可能にすることを特徴とする請求項５又は６記載のコネクタ。
【請求項８】
前記接続対象物が挿入された状態で、前記第二押受部の凹部内に前記押圧部が入ることを特徴とする請求項７記載のコネクタ。
【請求項９】
前記係止孔を別個独立にすることを特徴とする請求項２又は３記載のコネクタ。
【請求項１０】
前記ハウジングの長手方向両側に嵌合口を形成する上壁部を設けることを特徴とする請求項２又は３記載のコネクタ。
【請求項１１】
前記接続対象物の長手方向両側に係止部を設け、前記接続対象物が挿入された際の前記係止部に対応する位置に、前記回動部材に前記係止部に係合する係合部を設けることを特徴とする請求項１０記載のコネクタ。
【請求項１２】
ハード基板に切欠き部を設け、前記コネクタを該切欠き部に落とし込むように接続することを特徴とする請求項１〜１０項のうちいずれか１項記載のコネクタ。
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）等の接続対象物との安定した接続を得るための構造に関するものである。
【背景技術】
【０００２】
携帯電話やＣＣＤカメラ等に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。
また、近年では、上述のスライダーに代えて、回動部材を使用して、コンタクトをＦＰＣ等の接続対象物に接触させる構造のものが増えてきている。このような構造の中にも、回動部材を接続対象物の挿入側で回動させるタイプ（フロント回動タイプ）と逆に挿入側と反対側で回動させるタイプ（バック回動タイプ）のものがある。
フロント回動タイプには特開２０００−１０６２３８（特許文献１）があり、バック回動タイプには特開２００３−２９７４８９（特許文献２）や特開平１１−３０７１９８号（特許文献３）や特開２００４−７１１６０（特許文献４）などがある。
【特許文献１】特開２０００−１０６２３８の要約によると、ケーブルの芯数が多い場合でも操作力が小さくてすむケーブル用コネクタを提供することを目的とし、ケーブルの一面に対向する接触部とケーブルの反対面に対向する枢支部とを有するコンタクトと、ケーブルを接触部に圧接させるための操作子とを含み、操作子は、枢支部とケーブルとの間に位置するカム部と、枢支部が隙間をもって挿入された穴とを有し、枢支部はカム部に対応して凹部を有し、こうして操作子を枢支部に対しカム部を中心として回動自在なように係合させた構造のケーブル用コネクタが開示されている。ちなみに、特開２０００−１０６２３８の特許請求の範囲には、請求項１として、ケーブルの一面に対向する接触部と該ケーブルの反対面に対向する枢支部とを有するコンタクトと、前記コンタクトを保持したインシュレータと、前記ケーブルを前記接触部に圧接させるための操作子とを含むケーブル用コネクタにおいて、前記操作子は、前記枢支部と前記ケーブルとの間に位置するカム部と、前記枢支部を隙間をもって挿入された穴とを有し、前記枢支部は前記カム部に対応して凹部を有し、これにより前記操作子を前記枢支部に対し前記カム部を中心として回動自在なように係合させる構造のケーブル用コネクタ。請求項２として、前記インシュレータは、ケーブルの非接続時に前記操作子と係合し前記カム部が前記接触部から離間した状態に前記操作子を保持する係止部を有する構造のケーブル用コネクタ。請求項３として、前記ケーブルは平板状ケーブルであり、前記インシュレータはケーブルの接続時に前記平板状ケーブルの側縁部を受け入れて板厚方向への移動を係止するケーブル係止溝を有する構造のケーブル用コネクタ。請求項４として、コンタクトの接触部に一面を対向させたケーブルの反対面を回転式の操作子により前記接触部に向けて押圧することで前記コンタクトと前記ケーブルとの接続を得るケーブル用コネクタにおいて、前記接触部に少なくとも２つのコンタクト側突起を設け、一方、前記操作子には前記コンタクト側突起間に対応する操作子側突起を設ける構造のケーブル用コネクタ。請求項５として、前記コンタクトは前記ケーブルの反対面に対向する枢支部を有し、前記操作子は前記枢支部と前記ケーブルとの間に位置するカム部を有し、前記カム部に前記操作子側突起を設ける構造のケーブル用コネクタ等が開示されている。
【特許文献２】特開２００３−２９７４８９の要約によると、アクチュエータを小さい操作力で操作でき、また、アクチュエータによるコンタクトの移動量を大きくして接続を確実に行うことができ、更に、低背のコネクタを提供することを目的とし、アクチュエータは、カム部と操作部を有し、前記両部の間に各コンタクトのばね部の先端付近が挿入脱出可能な逃げ溝を形成され、アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続され、インシュレータの天井部は、各コンタクトの接触部を被覆し、天井部の前面側の下部には、ＦＰＣをコネクタに挿入するためのガイド部が形成された構造のコネクタが開示されている。  ちなみに、特開２００３−２９７４８９の特許請求の範囲には、請求項１として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記インシュレータは、前記コンタクトの少なくとも一方の接触部を嵌合側から被覆する天井部を有し、前記天井部に前記接続対象物の挿入をガイドするガイド部が形成される構造のコネクタ。請求項２として、前記コンタクトの少なくとも一方の接触部は、前記連結ばね部の近傍に前記接続対象物に向かって傾斜する傾斜部を有する構造のコネクタ。請求項３として、前記アクチュエータは、操作部と、前記コンタクトの被作動部を作動するカム部と、前記操作部と前記カム部との間に位置する逃げ溝とを有し、前記接続対象物と前記コネクタとの接続前の状態では、前記被作動部が前記逃げ溝に挿入可能である構造のコネクタ。請求項４として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記第１のビームの接触部は、前記接続対象物に向かって突出する第１の突起と第２の突起とを前記接続対象物の挿入方向に並んで有し、前記第２のビームの接触部は、前記接続対象物に向かって突出する第３の突起と第４の突起とを前記接続対象物の挿入方向に並んで有し、前記第３の��起が前記第１の突起と前記第２の突起との間に位置するか、又は、前記第１の突起が前記第３の突起と前記第４の突起との間に位置し、前記第１の突起と前記第２の突起、又は、前記第３の突起と前記第４の突起が、前記接続対象物と接触する接点となる構造のコネクタ等が開示されている。
【特許文献３】特開平１１−３０７１９８号の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。  ちなみに、特開平１１−３０７１９８号の特許請求の範囲には、請求項１として、複数のコンタクトが並列して設けられ、ＦＰＣ等の複数の端子を一括して接続するプリント配線板用コネクターにおいて、前記ＦＰＣ等が差し込まれる挿入溝を有するハウジングを備え、前記コンタクトは、前記挿入溝に対して突出後退自在に配置され、操作部材が、接続位置と解除位置とに移動自在に設けられ、前記操作部材が前記接続位置のとき、前記コンタクトは、前記操作部材に押圧されて前記挿入溝に突出し、前記ＦＰＣ等の前記端子に圧接して、前記端子と接続すると共に前記ＦＰＣ等を保持し、前記操作部材が前記解除位置のとき、一部の前記コンタクトは、前記挿入溝に対して僅かに突出し、前記ＦＰＣ等に当接して、前記ＦＰＣ等を仮保持し、残りの前記コンタクトは、前記挿入溝に対して後退するように構成される構造のプリント配線板用コネクター。請求項２として、複数のコネクターは、同一形状に形成され、操作部材には、複数のカムが、接続位置のとき、前記コンタクトを押圧して挿入溝に対して突出させ、解除位置のとき、一部の前記コンタクトを押圧して前記挿入溝に対して僅かに突出させ、残りの前記コンタクトを前記挿入溝に対して後退させるように設けられる構造のプリント配線板用コネクター等が開示されている。
【特許文献４】特開２００４−７１１６０の要約によると、各部位の強度や仕様等を損なうことなく、スライダーでＦＰＣ又はＦＦＣを確実にコンタクトの接触部に押圧することができ、作業性がよく、ピッチの狭小化や低背位化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。  ちなみに、特開２００４−７１１６０の特許請求の範囲には、請求項１として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、前記コンタクトの接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、前記スライダーに長手方向に連設した押圧部を設け、該押圧部が前記コンタクトの接続部と押受部との間で回動自在に前記スライダーを前記ハウジングに装着する構造のコネクタ。請求項２として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、２種類のコンタクトを千鳥に配置し、一方のコンタクトには、接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトには、接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設け、前記スライダーに長手方向に連設した押圧部を設け、該押圧部が一方のコンタクトの接続部と押受部との間及びもう一方のコンタクトの押受部と前記ハウジングとの間で回動自在に前記スライダーを���記ハウジングに装着する構造のコネクタ。請求項３として、前記スライダーの押圧部が一方の前記コンタクトの接続部と押受部との間で回動すると、前記押受部が押圧部によって押し上げられることで前記支点部を支点にし、前記弾性部が前記接触部側に傾くことによって、前記接触部が前記フレキシブルプリント基板（ＦＰＣ）又は前記フレキシブルフラットケーブル（ＦＦＣ）側に押圧される構造のコネクタ。請求項４として、一方若しくはもう一方の前記コンタクトの押受部の先端に突出部を設け、前記スライダーの押圧部が一方の前記コンタクトの接続部方向へ移動しないようにする構造のコネクタ。請求項５として、前記スライダーの押圧部の形状を細長形状にする構造のコネクタ。請求項６として、前記スライダーには、所要数の前記コンタクトの突出部と係合する係止孔を設け、該係止孔を別個独立にする構造のコネクタ。請求項７として、前記押圧部の細長形状を、楕円形にする構造のコネクタ。請求項８として、一方の前記コンタクトの支点部から延設した方向にも前記フレキシブルプリント基板（ＦＰＣ）又は前記フレキシブルフラットケーブル（ＦＦＣ）と接触する接触部を設ける構造のコネクタ。請求項９として、もう一方のコンタクトの前記支点部から接続部と反対方向に延設された延設部を設け、前記スライダーの押圧部が延設部と押受部との間で回動自在に前記スライダーを前記ハウジングに装着する構造のコネクタ。請求項１０として、もう一方の前記コンタクトの支点部と接続部との間にも前記フレキシブルプリント基板（ＦＰＣ）又は前記フレキシブルフラットケーブル（ＦＦＣ）と接触する接触部を設ける構造のコネクタ等が開示されている。
【発明の開示】
【発明が解決しようとする課題】
【０００３】
近年、この種のコネクタでは、使用用途や回動部材の操作できる方向によって、特許文献１のようなフロント回動タイプを使用するか、特許文献２から４のようなバック回動タイプを使用するかを決めている。
接続対象物の嵌合方向にしか操作スペースがない場合には、特許文献１のようなフロント回動タイプのコネクタに限定されてしまい、接続対象物との接点が一方向（下側接点）に限られてしまうことに繋がる。しかし、スペースが決まっているような場合（携帯電話又はデジタルカメラ）には、バック回動タイプのような上下接点の要求がある。
また、近年においては、より一層の低背の要求が強くなってきている。
【０００４】
本発明は、このような従来の問題点に鑑みてなされたもので、嵌合方向にしか操作スペースがない場合でも、ＺＩＦ（ゼロ・インサーション・フォース）構造若しくはＬＩＦ（ロウ（低い）・インサーション・フォース）構造が可能で、上下接点構造にすることができ、安定した接続を得ることができるコネクタを提供せんとするものである。
【課題を解決するための手段】
【０００５】
上記目的は、接続対象物と接触する少なくとも１個の接触部２６を有する複数のコンタクト１４と、該コンタクト１４が配列・保持されるとともに前記接続対象物が挿入される嵌合口１７を有するハウジング１２と、前記コンタクト１４を弾性変形させる回動部材１６とを備えるコネクタ１０において、前記コンタクト１４は、一端側に前記接続対象物と接触する接触部２６と他端側に前記回動部材１６により押圧される押受部３２とを有する第一片２２と、一端側に支点部２８と他端側に基板２０と接続する接続部４０とを有する第ニ片２４と、前記第一片２２と前記支点部２８とを連結する連結部３０と、前記接続部４０と前記支点部２８との間に略Ｌ字形状に延設される第二押受部３４とを備え、前記接触部２６と前記連結部３０と前記支点部２８と前記接続部４０とを略クランク形状に配置されるとともに前記接触部２６は前記嵌合口１７内に突出され、前記回動部材１６は、回動させるための操作部４８と長手方向に連設した押圧部４６と前記第二押受部３４が挿入できる係止孔５０とを備え、前記押圧部４６が前記コンタクト１４の押受部３２と第二押受部３４との間で回動するように前記ハウジング１２に装着され、コネクタ１０と前記接続対象物とが接続前の状態（前記回動部材１６が開いた状態）では、前記押圧部４６が押受部３２と第二押受部３４との間で回動し、押受部３２を押圧することで前記接触部２６が持ち上げられ、コネクタ１０と前記接続対象物とが接続状態（前記回動部材１６が閉じた状態）では、前記コンタクト１４の前記接触部２６は前記嵌合口１７内に突出し接続対象物と接触可能にすることにより達成できる。
【０００６】
より狭ピッチを図るためには、接続対象物と接触する少なくとも１個の接触部２６を有する複数のコンタクト１４と、該コンタクト１４が配列・保持されるとともに前記接続対象物が挿入される嵌合口１７を有するハウジング１２と、前記コンタクト１４を弾性変形させる回動部材１６とを備えるコネクタ１０において、２種類のコンタクト１４、１４１を千鳥に配置し、一方の前記コンタクト１４は、一端側に前記接続対象物と接触する接触部２６と他端側に前記回動部材１６により押圧される押受部３２とを有する第一片２２と、一端側に支点部２８と他端側に基板２０と接続する接続部４０とを有する第ニ片２４と、前記第一片２２と前記支点部２８とを連結する連結部３０と、前記接続部４０と前記支点部２８との間に略Ｌ字形状に延設される第二押受部３４とを備え、前記接触部２６と前記連結部３０と前記支点部２８と前記接続部４０とを略クランク形状に配置されるとともに前記接触部２６は前記嵌合口１７内に突出され、もう一方のコンタクト１４１は、一端側に前記接続対象物と接触する接触部２６と他端側に前記回動部材１６により押圧される押受部３２とを有する第一片２２と、一端側に基板２０と接続する接続部４０と他端側に支点部２８とを有する第ニ片２４と、前記第一片２２と前記支点部２８とを連結する連結部３０と、前記支点部２８より略倒Ｕ字形状に延設される第二押受部３４とを備え、前記接触部２６と前記連結部３０と前記支点部２８と前記接続部４０とを略倒Ｕ字形状に配置されるとともに前記接触部２６は前記嵌合口１７内に突出され、前記回動部材１６は、回動させるための操作部４８と長手方向に連設した押圧部４６と前記第二押受部３４が挿入できる係止孔５０とを備え、前記押圧部４６が一方及びもう一方の前記コンタクト１４、１４１の押受部３２と第二押受部３４との間で回動するように前記ハウジング１２に装着され、コネクタ１０と前記接続対象物とが接続前の状態（前記回動部材１６が開いた状態）では、前記押圧部４６が押受部３２と第二押受部３４との間で回動し、押受部３２を押圧することで前記接触部２６が持ち上げられ、コネクタ１０と前記接続対象物とが接続状態（前記回動部材１６が閉じた状態）では、前記コンタクト１４、１４１の前記接触部２６は前記嵌合口１７内に突出し接続対象物と接触可能にすることにより達成できる。
【０００７】
前記支点部２８より前記接触部２６の対向方向に延設した延設部３６を設けると共に前記延設部３６の先端で前記接触部２６に対向する位置にも接触部２６を設ける。
また、前記接続部４０と前記支点部２８との間で、前記接触部２６に対向する位置にも接触部２６を設ける。
前記押受部３２及び前記第二押受部３４のどちらか一方若しくは双方の先端に突出した突出部４２を設け、前記押受部３２及び前記第二押受部３４間で前記押圧部４６が回動させる。
さらに、前記押受部３２と前記第二押受部３４とを略並行に前記押圧部４６が回動可能に配置する。
【０００８】
前記第二押受部３４の突出部４２の内側に凹部４１を設け、前記押圧部４６が前記凹部内４１で、かつ、前記押受部３２と前記第二押受部３４間で回動可能にする。
また、前記接続対象物が挿入された状態で、前記第二押受部３４の凹部４１内に前記押圧部４６入るようにする。
前記係止孔５０を別個独立にする。
前記ハウジング１２の長手方向両側に嵌合口１７を形成する上壁部５５を設ける。
さらに、前記接続対象物の長手方向両側に係止部５４を設け、前記接続対象物が挿入された際の前記係止部５４に対応する位置に、前記回動部材１６に前記係止部５４に係合する係合部５１を設ける。
ハード基板２０に切欠き部５２を設け、前記コネクタ１０を該切欠き部５２に落とし込むように接続する。
【０００９】
本コネクタ１０の作用としては、前記ＦＰＣ１８又はＦＦＣ等の接続対象物が前記ハウジング１２の嵌合口１７内に挿入される際には、前記回動部材１６の押圧部４６が前記コンタクト１４の押受部３２と第二押受部３４との間で回動し、前記押圧部４６が前記押受部３２を押下げることで前記コンタクト１４の支点部２８を支点にして、前記コンタクト１４の接触部２６が押し上げられた状態になる。つまり、前記ＦＰＣ１８又はＦＦＣ等の接続対象物が前記コネクタ１０に挿入される際には、力の要らない所謂ＺＩＦ（ゼロ・インサーション・フォース）機構になっている。
【発明の効果】
【００１０】
以上の説明から明らかなように、本発明のコネクタによると、次のような優れた効果が得られる。
（１）接続対象物と接触する少なくとも１個の接触部２６を有する複数のコンタクト１４と、該コンタクト１４が配列・保持されるとともに前記接続対象物が挿入される嵌合口１７を有するハウジング１２と、前記コンタクト１４を弾性変形させる回動部材１６とを備えるコネクタ１０において、前記コンタクト１４は、一端側に前記接続対象物と接触する接触部２６と他端側に前記回動部材１６により押圧される押受部３２とを有する第一片２２と、一端側に支点部２８と他端側に基板２０と接続する接続部４０とを有する第ニ片２４と、前記第一片２２と前記支点部２８とを連結する連結部３０と、前記接続部４０と前記支点部２８との間に略Ｌ字形状に延設される第二押受部３４とを備え、前記接触部２６と前記連結部３０と前記支点部２８と前記接続部４０とを略クランク形状に配置されるとともに前記接触部２６は前記嵌合口１７内に突出され、前記回動部材１６は、回動させるための操作部４８と長手方向に連設した押圧部４６と前記第二押受部３４が挿入できる係止孔５０とを備え、前記押圧部４６が前記コンタクト１４の押受部３２と第二押受部３４との間で回動するように前記ハウジング１２に装着され、コネクタ１０と前記接続対象物とが接続前の状態（前記回動部材１６が開いた状態）では、前記押圧部４６が押受部３２と第二押受部３４との間で回動し、押受部３２を押圧することで前記接触部２６が持ち上げられ、コネクタ１０と前記接続対象物とが接続状態（前記回動部材１６が閉じた状態）では、前記コンタクト１４の前記接触部２６は前記嵌合口１７内に突出し接続対象物と接触可能にしているので、ＺＩＦ構造若しくはＬＩＦ構造が可能で、嵌合方向にしか操作スペースがない場合でも、上下接点構造にすることができ、安定した接続を得ることができる。
【００１１】
（２）接続対象物と接触する少なくとも１個の接触部２６を有する複数のコンタクト１４と、該コンタクト１４が配列・保持されるとともに前記接続対象物が挿入される嵌合口１７を有するハウジング１２と、前記コンタクト１４を弾性変形させる回動部材１６とを備えるコネクタ１０において、２種類のコンタクト１４、１４１を千鳥に配置し、一方の前記コンタクト１４は、一端側に前記接続対象物と接触する接触部２６と他端側に前記回動部材１６により押圧される押受部３２とを有する第一片２２と、一端側に支点部２８と他端側に基板２０と接続する接続部４０とを有する第ニ片２４と、前記第一片２２と前記支点部２８とを連結する連結部３０と、前記接続部４０と前記支点部２８との間に略Ｌ字形状に延設される第二押受部３４とを備え、前記接触部２６と前記連結部３０と前記支点部２８と前記接続部４０とを略クランク形状に配置されるとともに前記接触部２６は前記嵌合口１７内に突出され、もう一方のコンタクト１４１は、一端側に前記接続対象物と接触する接触部２６と他端側に前記回動部材１６により押圧される押受部３２とを有する第一片２２と、一端側に基板２０と接続する接続部４０と他端側に支点部２８とを有する第ニ片２４と、前記第一片２２と前記支点部２８とを連結する連結部３０と、前記支点部２８より略倒Ｕ字形状に延設される第二押受部３４とを備え、前記接触部２６と前記連結部３０と前記支点部２８と前記接続部４０とを略倒Ｕ字形状に配置されるとともに前記接触部２６は前記嵌合口１７内に突出され、前記回動部材１６は、回動させるための操作部４８と長手方向に連設した押圧部４６と前記第二押受部３４が挿入できる係止孔５０とを備え、前記押圧部４６が一方及びもう一方の前記コンタクト１４、１４１の押受部３２と第二押受部３４との間で回動するように前記ハウジング１２に装着され、コネクタ１０と前記接続対象物とが接続前の状態（前記回動部材１６が開いた状態）では、前記押圧部４６が押受部３２と第二押受部３４との間で回動し、押受部３２を押圧することで前記接触部２６が持ち上げられ、コネクタ１０と前記接続対象物とが接続状態（前記回動部材１６が閉じた状態）では、前記コンタクト１４、１４１の前記接触部２６は前記嵌合口１７内に突出し接続対象物と接触可能にしているので、ＺＩＦ構造若しくはＬＩＦ構造が可能で、嵌合方向にしか操作スペースがない場合でも、上下接点構造にすることができ、安定した接続を得ることができ、かつ、狭ピッチ化も図ることができる。
【００１２】
（３）前記支点部２８より前記接触部２６の対向方向に延設した延設部３６を設けると共に前記延設部３６の先端で前記接触部２６に対向する位置にも接触部２６を設けているので、容易に上下接点構造への対応が可能で、かつ、上下接点構造になり、接続対象物のどちら側に接点があっても安定した接続を得ることができる。
（４）前記接続部４０と前記支点部２８との間で、前記接触部２６に対向する位置にも接触部２６を設けているので、上下接点構造になり、接続対象物のどちら側に接点があっても安定した接続を得ることができる。
（５）前記押受部３２及び前記第二押受部３４のどちらか一方若しくは双方の先端に突出した突出部４２を設け、前記押受部３２及び前記第二押受部３４間で前記押圧部４６が回動させているので、前記回動部材１６の押圧部４６が外れることがなく、かつ、押圧部４６を回動するだけで容易にＺＩＦ構造を提供でき、安定した接続を得ることができる。
（６）前記押受部３２と前記第二押受部３４とを略並行に前記押圧部４６が回動可能に配置しているので、前記回動部材１６が安定した回動が可能で、容易にＺＩＦ構造若しくはＬＩＦ構造をとることができる。
（７）前記第二押受部３４の突出部４２の内側に凹部４１を設け、前記押圧部４６が前記凹部内４１で、かつ、前記押受部３２と前記第二押受部３４間で回動可能にしているので、前記回動部材１６が安定した回動が可能で、容易にＺＩＦ構造若しくはＬＩＦ構造をとることができる。
（８）前記接続対象物が挿入された状態で、前記第二押受部３４の凹部４１内に前記押圧部４６入るようにしているので、低背化が可能で、確実に接触部２６が嵌合口１７内に突出するため安定した接続を得ることができる。
（９）前記係止孔５０を別個独立にしているので、前記回動部材１６が強固で、確実に回動することができ、かつ、変形を生じない。
（１０）前記ハウジング１２の長手方向両側に嵌合口１７を形成する上壁部５５を設けているので、接続対象物を確実に所定の接続位置まで挿入することができる。
（１１）前記接続対象物の長手方向両側に係止部５４を設け、前記接続対象物が挿入された際の前記係止部５４に対応する位置に、前記回動部材１６に前記係止部５４に係合する係合部５１を設けているので、接続対象物との確実な位置決め及び固定ができる。
（１２）ハード基板２０に切欠き部５２を設け、前記コネクタ１０を該切欠き部５２に落とし込むように接続しているので、基板２０の厚さ分の低背が可能になり、０．４ｍｍの基板であれば、コネクタの高さが１．０ｍｍあっても、基板２０を含めた高さは０．６ｍｍ程度にすることができる。
【発明を実施するための最良の形態】
【００１３】
図１から図７に基づいて、本発明のコネクタの一実施例について説明する。図１（Ａ）は嵌合側よりＦＰＣが挿入されてない状態の本発明のコネクタの斜視図であり、（Ｂ）は嵌合側よりＦＰＣが挿入されてなく、回動部材が閉じた状態の本発明のコネクタの斜視図であり、（Ｃ）は嵌合側よりＦＰＣが挿入された状態の本発明のコネクタの斜視図である。図２（Ａ）はＦＰＣが挿入されてない状態の断面図であり、（Ｂ）はＦＰＣが挿入されない状態で、回動部材が回転途中にある断面であり、（Ｃ）はＦＰＣが挿入されてなく、回動部材が閉じた状態の断面図であるり、（Ｄ）はＦＰＣが挿入された状態の断面図である。図３はコンタクトの斜視図であり、図４は回動部材の斜視図であり、図５はハウジングの斜視図である。図６は本発明のコネクタを基板に実装した際の説明図である。図７（Ａ）は一方のコンタクトの斜視図であり、（Ｂ）はもう一方のコンタクトの斜視図である。
本発明のコネクタは、主にハウジングと回動部材とコンタクトとを備えている。
【００１４】
構成部品を説明する前に、ＦＰＣ１８について説明する。前記ＦＰＣ１８には、少なくともコンタクト１４の接触部２６と接触する接触部と該接触部から回路へ繋がるパターンとを備えている。本実施例では前記ＦＰＣ１８の接触部は表裏両面に配置されている。前記ＦＰＣ１８を用いることで、振動等でも安定した接続状態を保持でき、フレキシビリティをも持つことができる。
【００１５】
図に基づいて本発明のコネクタ１０の構成部品について説明する。
まず、本発明のポイントであるコンタクト１４について説明する。このコンタクト１４は金属製であり、公知技術のプレス加工によって製作されている。前記コンタクト１４の材質としては、バネ性や導電性などが要求されるので、黄銅やベリリウム銅やリン青銅等を挙げることができる。
前記コンタクト１４は、少なくとも一端側に前記接続対象物と接触する接触部２６と他端側に前記回動部材１６により押圧される押受部３２とを有する第一片２２と、一端側に支点部２８と他端側に基板２０と接続する接続部４０とを有する第ニ片２４と、前記第一片２２と前記支点部２８とを連結する連結部３０と、前記接続部４０と前記支点部２８との間に略Ｌ字形状に延設される第二押受部３４とを備えている。前記第一片２２の前記接触部２６と前記連結部３０と前記支点部２８と前記接続部４０とは略クランク形状に配置されている。
【００１６】
前記接触部２６は、ＦＰＣ１８又はＦＦＣ等の接続対象物と接触し易いように凸部形状にしており、前記接続部４０は本実施例では図１のように表面実装タイプ（ＳＭＴ）にしているが、ディップタイプでも良い。本実施例では、上下両接点の構造ということもあり、前記支点部２８から前記接触部２６と対向する方向に延設した延設部３６を設け、その先端部分に前記接触部２６と同様の接触部２６が設けられている。即ち、２つの接触部２６、２６を設けて、前記ＦＰＣ１８又はＦＦＣを挟持するようにする。前記ＦＰＣ１８又はＦＦＣの挿入方向に対して、直角方向両側に接触部２６、２６を設けることで、前記ＦＰＣ１８又はＦＦＣを２つの接触部２６、２６で挟持することになり、確実に前記ＦＰＣ１８又はＦＦＣと接触できるようになる。
【００１７】
図２（Ｃ）のように、ＦＰＣ１８又はＦＦＣ等の接続対象物が挿入されてなく、かつ、前記回動部材１６が閉じた状態では、前記コンタクト１４の接触部２６、２６は、前記ハウジング１２の嵌合口１７内に突出するようになっており、その前記接触部２６、２６間の寸法（ギャップ寸法）は、所定の接触力が得られるように適宜設計する。そのため、下側の接触部２６は前記ハウジング１２の挿入溝４４から幾分浮くように設計している。図示はしないが、下側の延設部３６及び接触部２６を省いた上接点のみの場合も同様に設計する。（下側の延設部３６及び下側の接触部２６を省いただけで、他の部分は全て同様である。）
【００１８】
前記支点部２８と前記連結部３０と前記押受部３２と前記第二押受部３４とは、前記ＦＰＣ１８又はＦＦＣ等の接続対象物を挿入する際に、挿入力の掛からない所謂ＺＩＦ構造を果たすための部分である。前記ＦＰＣ１８又はＦＦＣ等の接続対象物を前記ハウジング１２の嵌合口１７内に挿入する際には、前記回動部材１６は開いた状態になっている。即ち、図２（Ａ）のように、前記回動部材１６の押圧部４６が前記コンタクト１４の押受部３２と第二押受部３４との間で斜めに立った状態になり、前記押受部３２が前記押圧部４６によって押し下げられる（図面の下方向）ことで、前記コンタクト１４の支点部２８を支点にし、前記コンタクト１４の連結部３０が前記押受部３２側に傾くことによって、前記接触部２６が持ち上げられるため、前記ハウジング１２の嵌合口１７内に前記接触部２６が突出しないようになる。前記支点部２８と前記連結部３０と前記押受部３２と前記第二押受部３４の大きさや形状は、このような作用を果たすために、適宜設計されている。このような作用を考えると、前記第二押受部３４は剛体に近く変形し難い形状、大きさに適宜設計している。本実施例では、ＺＩＦ構造に設計したが、ＬＩＦ構造のものであってもよく、その場合には、挿入力等を考慮して適宜設計する。
【００１９】
図２（Ａ）のように前記回動部材１６が開いた状態から矢印「イ」方向に前記回動部材１６を半分回動させると図２（Ｂ）の状態になり、さらに回動させ図２（Ｄ）のようにＦＰＣ１７が挿入され前記回動部材１６が閉じた状態にすると、前記コンタクト１４の押受部３２と第二押受部３４の間にある前記回動部材１６の押圧部４６は（Ｄ）のように寝た（押圧しない）状態になり、前記コンタクト１４の接触部２６は上述した図２（Ｃ）の状態に戻り、前記ＦＰＣ１７と接触するようになっている。ギャップ寸法によって接触圧が決まるので、上述した特許文献１〜４のように回動部材でコンタクトの押受部を押し上げ、接触部を押し下げるような構成でないので、より安定した接続を得ることが可能である。
【００２０】
前記コンタクト１４の押受部３２と第二押受部３４とは、前記連結部３０近傍に傾斜部４３を設けて、略並行に前記押圧部４６が回動可能に配置するとよい。こように配置することで、安定した回動が可能になる。前記コンタクト１４の押受部３２及び第二押受部３４のどちらか一方若しくは双方の先端部分に相互方向に突出した突出部４２を設けてもよい。本実施例では第二押受部３４側にのみ突出部４２を設けている。前記第二押受部３４の突出部４２の内側に凹部４１を設け、図２（Ｄ）のようにＦＰＣ１８と接続状態では前記凹部４１内に前記押圧部４６が入るようにする。このようにすることで、低背と前記押圧部４６の安定、かつ、コンパクトな回動と前記押圧部４６が外れないようになっている。前記突出部４２と前記凹部４１の大きさや形状はこのようなことを考慮して適宜設計する。
ここで、前記押圧部４６の動きについて説明すると、前記回動部材１６が開いた状態では図２（Ａ）のように右斜め方向に立った状態であり、矢印「イ」方向に半分程度回動すると図２（Ｂ）ように前記押圧部４６の上端部が前記突出部４２側に移動し、さらに回動すると前記突出部４２を支点に前記押圧部４６は回動し、図２（Ｄ）のように最終的には前記押圧部４６は前記凹部４１内に入る。
【００２１】
前記コンタクト１４の第二片２４の他端側に備える接続部４０は、基板２０にリフロー等により接続される部分である。そのため、前記接続部４０の大きさや形状は、基板２０への取付け位置や基板２０の仕様や取付け強度等を考慮して適宜設計する。本実施例では
図６のように、基板２０の下面側のランドに接続されている。前記接続部４０としては、第二片２４を略直線状に延ばし、上方に幾分突出させて、その突出した部分をランドに接続できるようにした。延ばした部分の大きさや突出した部分の大きさは、基板２０の仕様によって適宜設計する。
前記コンタクト１４の固定部３８は前記ハウジング１２に固定する部分であり、圧入や引っ掛けや溶着等によって固定している。本実施例では矢じり（図示せず）を設けて圧入によって固定し、その大きさは前記ハウジング１２への保持強度を考慮して設計する。本実施例では固定部３８を前記第二押受部３４に近い部分に固定部３８を設けることで、前記第二押受部３４が変形し難いようにしている。
【００２２】
次に、回動部材１６について説明する。この回動部材１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該回動部材１６は主に操作部４８とハウジング１２に回動可能に装着される軸５６部分と前記コンタクト１４の押受部３２を押圧する押圧部４２と前記コンタクト１４の第二押受部３４が係合する係止孔５０とを備えている。前記軸５６は、回動部材１６を回動するための支点であり、ハウジング１２の長手方向両側に回動部材１６が回動可能に適宜装着されている。前記軸５６の上側には前記ハウジング１２の軸受５８に挿入し易く、かつ、回動している際に受けないようにテーパ部６４が設けられている。また、長手方向両側には、前記コンタクト１４の押受部２０を押圧した際に回動部材１６が高さ（図面の上）方向に持ち上がらないようにするためにハウジング１２と係合するロック部６０が設けられている。ロック部６０の形状や大きさ等は、ハウジング１２に係合できれば如何なるものでもよく、上述の役割やコネクタの大きさや強度等を考慮して適宜設計する。
【００２３】
前記押圧部３６は、前記コンタクト１４の押受部３２と第二押受部３４との間で回動し、前記押受部３２に押し付ける部分であり、その形状としては細長形状にすることが望ましく、本実施例では楕円形状をしている。このように楕円形状にすることによって、図２（Ｃ）の状態から（Ａ）の状態に回動部材１６を矢印「イ」と逆方向に回動させ、前記コンタクト１４の押受部３２と第二押受部３４との間で回転させることで、押圧部４６の大きさの変化によりコンタクト１４の押受部３２が押し下げられ、前記コンタクト１４の接触部２６（上側）が持ち上げられ、前記接触部２６が前記ハウジング１２の嵌合口１７内に突出しないようになっている。つまり、上下接触部２６、２６間のギャップ寸法を広げている。前記押圧部４６の形状としては、前記コンタクト１４の押受部３２と第二押受け３４との間で回転でき、長軸と短軸といった大きさの違いによりコンタクト１４の押受部３２を押し下げられれば、如何なるものでもよい。
また、前記回動部材１６を回動した際に、回動部材１６の回動に対する反発力が強く、回動部材１６の中央部が図１の矢印「ロ」方向に膨れてしまうことを防ぐようにする為に、前記コンタクト１４の第二押受部３４の突出部４６が係合する係止孔３０が別個独立に設けられている。前記係止孔３０を別個独立に設けることで、回動部材１６の強度アップや回動時の変形を防止している。
さらに、前記回動部材１６には、前記接続対象物の長手方向両側に設けられた係止部５４に対応する位置に、前記係止部５４に係合する係合部５１が設けられている。本実施例では、前記係合部５１として、凸部にし、接続対象物側に窪みを設ける構造にした。このような構造にすることで、確実な位置決めができ、接続対象物の安定した保持が可能になる。前記係合部５１としての凸部の大きさと形状は、接続対象物の仕様や前記回動部材１６の強度やコネクタの小型化等を考慮して適宜設計される。
【００２４】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、図５のように所要数のコンタクト１４が装着される挿入溝４４が設けられており、圧入や引っ掛け（ランス）や溶着等によって固定されている。また、長手方向両側には、前記回動部材１６の軸５６が回動可能に装着される軸受部５８が設けられている。この軸受部５８の形状や大きさは、回動部材１６の軸５６が回動できるように装着されていれば如何なるものでもよく、この役割やハウジング１２の強度や大きさ等を考慮して適宜設計する。なお、長手方向両側には、前記回動部材１６のロック部６０に対応した位置に係止溝６２が設けられている。
また、前記ハウジング１２には、ＦＰＣ１７又はＦＦＣ等の接続対象物が挿入される嵌合口１７が設けられている。前記嵌合口１７は長手方向両側に上壁部５５を設けることにより形成され、前記嵌合口１７は接続対象物が挿入できればよく、大きさはこのことを考慮して適宜設計する。前記ハウジング１２は、前記回動部材１６が装着される部分は空間になっており、前記嵌合口１７の一部は前記ハウジング１２と前記回動部材１６によって形成されている。
本発明のコネクタ１０の場合、基板２０へ強固に固定（接続）するために、固定タグ６６を設けている。
【００２５】
最後に、コネクタ１０の基板２０への取付けについて説明する。近年の低背要求に対応するために、図６のように、ハード基板２０に切欠き部５２を設け、前記コネクタ１０を該切欠き部５２に落とし込むように取付けようにする。このようにすることで、基板２０とコネクタとを含めた全体の低背化に繋がることになる。つまり、基板２０の厚さ分の低背が可能になり、０．４ｍｍの基板であれば、コネクタの高さが１．０ｍｍあっても、基板２０を含めた高さは０．６ｍｍ程度にすることができる。基板２０の切欠き部５２の大きさはコネクタ１０の大きさや基板２０の強度や取付け位置等を考慮して適宜設計する。
【００２６】
図示はしないが、本発明の別の実施例について説明する。主な構成部品は上述したものと同様で、ハウジングとコンタクトと回動部材とを備えている。本実施例の特徴は、狭ピッチ化を図るために２種類のコンタクト１４１、１４２をハウジング１２への挿入方向を変えて千鳥に配列している点にある。前記回動部材１６は上述したものと同様であり、また、図７（Ａ）のように一方の前記コンタクト１４１は接続部４０の取り付け方向が相違するだけで上述した図３のものと同様であり、説明を省略する。
【００２７】
図７（Ｂ）に基づいて、相違するもう一方のコンタクト１４２について説明する。もう一方の前記コンタクト１４２も金属製であり、公知技術のプレス加工によって製作されている。材質は、一方の前記コンタクト１４１と同様である。もう一方のコンタクト１４２は、少なくとも一端側に前記接続対象物と接触する接触部２６と他端側に前記回動部材１６により押圧される押受部３２とを有する第一片２２と、一端側に基板２０と接続する接続部４０と他端側に支点部２８とを有する第ニ片２４と、前記第一片２２と前記支点部２８とを連結する連結部３０と、前記支点部２８より略倒Ｕ字形状に延設される第二押受部３４とを備えている。前記第一片２２の前記接触部２６と前記連結部３０と前記支点部２８と前記接続部４０とを略倒Ｕ字形状に配置されている。
【００２８】
前記接触部２６は、ＦＰＣ１８又はＦＦＣ等の接続対象物と接触し易いように凸部形状にしており、前記接続部４０は本実施例では図１のように表面実装タイプ（ＳＭＴ）にしているが、ディップタイプでも良い。本実施例では、上下両接点の構造ということもあり、前記支点部２８と前記接続部４０との間に前記接触部２６と対向する位置に前記接触部２６と同様の接触部２６が設けられている。即ち、２つの接触部２６、２６を設けて、前記ＦＰＣ１８又はＦＦＣを挟持するようにする。前記ＦＰＣ１８又はＦＦＣの挿入方向に対して、直角方向両側に接触部２６、２６を設けることで、前記ＦＰＣ１８又はＦＦＣを２つの接触部２６、２６で挟持することになり、確実に前記ＦＰＣ１８又はＦＦＣと接触できるようになる。
【００２９】
図２（Ｃ）のように、ＦＰＣ１８又はＦＦＣ等の接続対象物が挿入されてなく、かつ、前記回動部材１６が閉じた状態では、前記コンタクト１４の接触部２６、２６は、前記ハウジング１２の嵌合口１７内に突出するようになっており、その前記接触部２６、２６間の寸法（ギャップ寸法）は、所定の接触力が得られるように適宜設計する。そのため、下側の接触部２６は前記ハウジング１２の挿入溝４４から幾分浮くように設計している。図示はしないが、下側の延設部３６及び接触部２６を省いた上接点のみの場合も同様に設計する。（下側の延設部３６及び下側の接触部２６を省いただけで、他の部分は全て同様である。）
一方のコンタクト１４１の大きな相違点は、接続部４０を嵌合口１７方向に設けた点である。
【００３０】
前記支点部２８と前記連結部３０と前記押受部３２と前記第二押受部３４の役割・作用や、前記回動部材１６の開閉状態・構成や、突出部４６や凹部４１や固定部３８は上述した一方の前記コンタクト１４と同様のため説明を省略する。
【００３１】
本発明のポイントは、嵌合方向にしか操作スペースがない場合でも、嵌合方向で回動部材１６を操作でき、ＺＩＦ構造が可能で、上下接点構造にすることができるコネクタ１０を提供することにあり、回動部材１６を嵌合口１７側で操作できるようにし、前記回動部材１６が開いた状態（ＦＰＣ１８が挿入される前の状態）の時には接触部２６のギャップ寸法が開く（接触部２６（上側）が嵌合口１７内に突出しない）ようにし、前記回動部材１６が閉じた状態（ＦＰＣ１８が挿入された状態）の時には接触部２６のギャップ寸法が閉じる（接触部２６（上側）が嵌合口１７内に突出した）ような構成にしたことである。
【産業上の利用可能性】
【００３２】
本発明の活用例としては、携帯電話やノートパソコンやデジタルカメラ等に使用されるコネクタに活用され、特にフレキシブルプリント基板（以下「ＦＰＣ」という）やフレキシブルフラットケーブル（以下「ＦＦＣ」という）等の接続対象物との安定した接続を得るための構造に関するものである。
【図面の簡単な説明】
【００３３】
【図１】（Ａ）  嵌合側よりＦＰＣが挿入されてない状態の本発明のコネクタの斜視図である。（Ｂ）  嵌合側よりＦＰＣが挿入されてなく、回動部材が閉じた状態の本発明のコネクタの斜視図である。（Ｃ）  嵌合側よりＦＰＣが挿入された状態の本発明のコネクタの斜視図である。
【図２】（Ａ）  ＦＰＣが挿入されてない状態の断面図である。（Ｂ）  ＦＰＣが挿入されない状態で、回動部材が回転途中にある断面である。（Ｃ）  ＦＰＣが挿入されてなく、回動部材が閉じた状態の断面図である。（Ｄ）  ＦＰＣが挿入された状態の断面図である。
【図３】コンタクトの斜視図である。
【図４】回動部材の斜視図である。
【図５】ハウジングの斜視図である。
【図６】本発明のコネクタを基板に実装した際の説明図である。
【図７】（Ａ）  一方のコンタクトの斜視図である。（Ｂ）  もう一方のコンタクトの斜視図である。
【符号の説明】
【００３４】
１０                    コネクタ
１２                    ハウジング
１４、１４１、１４２    コンタクト
１６                    回動部材
１７                    嵌合口
１８                    ＦＰＣ
２０                    ハード基板
２２                    第一片
２４                    第二片
２６                    接触部
２８                    支点部
３０                    連結部
３２                    押受部
３４                    第二押受部
３６                    延設部
３８                    固定部
４０                    接続部
４１                    凹部
４２                    突出部
４３                    傾斜部
４４                    挿入溝
４６                    押圧部
４８                    操作部
５０                    係止孔
５１                    係合部
５２                    切欠き
５４                    係止部
５５                    上壁部
５６                    軸
５８                    軸受
６０                    ロック部
６２                    係止溝
６４                    テーパ部
６６                    固定タグ
【図１】
2006114436.tif 000003
【図２】
2006114436.tif 000004
【図３】
2006114436.tif 000005
【図４】
2006114436.tif 000006
【図５】
2006114436.tif 000007
【図６】
2006114436.tif 000008
【図７】
2006114436.tif 000009